(57)【要約】【課題】レンズに傷や汚れをつけることなく心出しが行え、しかもレンズ枠に対するレンズの固定精度を高めることができる。【解決手段】レンズ心出し装置１は、レンズ２を組み込んだレンズ枠３を、その中心軸周りに回転させるための回転ステージ１２と、レンズ枠３の中心軸Ｃ０とレンズ２の光軸Ｃ１との偏心量を測定する偏心測定機１５と、レンズ２とレンズ枠３との間に位置する接着剤４の一部分に向けてＵＶ光を照射するＵＶ照射部１７２と、偏心測定機１５で測定した偏心データに基づいて、接着剤４における照射位置と、その位置におけるＵＶ光の照射時間及び照射強度とを制御する制御部１８とを備えている。ＵＶ照射部１７２によって接着剤４の一部にＵＶ光を照射し、その接着剤４の硬化による収縮作用によりレンズ２を任意の方向に移動させるようにした。【選択図】図１
2010145807.tif 000002
【特許請求の範囲】
【請求項１】
レンズ枠の中心軸に対してレンズの光軸を一致させて、前記レンズと前記レンズ枠とを伸縮性を有するＵＶ硬化接着剤によって固定させるためのレンズの心出し装置であって、
前記レンズを組み込んだレンズ枠を、その中心軸周りに回転させるための回転機構と、
前記レンズ枠の中心軸とレンズの光軸との偏心量を測定する偏心測定機と、
前記レンズと前記レンズ枠との間に位置する前記ＵＶ硬化接着剤の一部分に向けてＵＶ光を照射するＵＶ照射部と、
前記偏心測定機で測定した偏心データに基づいて、前記ＵＶ硬化接着剤における前記ＵＶ光の照射位置と、その位置における照射時間及び照射強度とを制御する制御部と、
を備え、
前記ＵＶ照射部によって前記ＵＶ硬化接着剤の一部に前記ＵＶ光を照射し、そのＵＶ硬化接着剤の硬化による伸縮作用により前記レンズを任意の方向に移動させるように構成されていることを特徴とするレンズ心出し装置。
【請求項２】
前記レンズ枠の外形位置を測定する振れ測定器が設けられ、該振れ測定器で測定した前記レンズ枠の振れデータに基づいて、前記偏心測定機によって測定した偏心データを補正する構成であることを特徴とする請求項１に記載のレンズ心出し装置。
【請求項３】
前記ＵＶ照射部は、前記レンズの周方向に一定の間隔をもった３点のそれぞれに対応する３箇所に設けられていることを特徴とする請求項１又は２に記載のレンズ心出し装置。
【発明の詳細な説明】
【技術分野】
【０００１】
本発明は、レンズ枠にレンズを組み込み、レンズの心出しを行って固定するためのレンズ心出し装置に関する。
【背景技術】
【０００２】
従来、レンズの光軸とそのレンズを組み込むレンズ枠の中心軸とを一致させるためのレンズの心出し装置として、レンズ枠を回転させ、作業員がレンズを突き当てるようにして押しながら心出しするものが知られている（例えば、特許文献１参照）。
図７は、特許文献１に記載されているレンズの芯出し装置の概略構成を示す図である。すなわち、図７に示す心出し装置１００は、レンズ１０１を組み込んだレンズ枠１０２を保持する保持具１０３と、その保持具１０３を回転させるモータ（回転機構１１１）と、レンズ１０１の偏心量を測定する偏心測定機１１４と、心出し冶具１１２を保持して移動を行う移動機構１１３と、回転機構１１１と移動機構１１３と偏心測定機１１４の制御を行う制御装置１１５とから構成されている。このような心出し装置１００を使用したレンズの心出し方法は、先ずレンズ１０１をレンズ枠１０２に組み込み、レンズ枠１０２を保持具１０３によって保持した後、その保持具１０３を回転機構１１１によって回転させながらレンズ１０１の偏心量を偏心測定機１１４で測定を行う。そして、作業員は、その偏心測定機１１４で測定された偏心量をモニタ等の表示部で確認しながら、心出し冶具１１２を移動機構１１３により移動させてレンズ１０１に接触させることで心出しを行い、レンズの偏心量が最小となるように保持具１０３の回転位置と心出し冶具１１２の位置を制御装置１１５にて制御を行うものである。
【特許文献１】特開平６−２５００６２号公報
【発明の開示】
【発明が解決しようとする課題】
【０００３】
しかしながら、特許文献１で開示されている従来技術では、以下のような問題があった。
すなわち、図７で示したレンズの心出し装置１００では、作業員が偏心測定機１１４によるレンズ１０１の測定結果を確認しつつ、レンズ枠１０２の中心軸とレンズの光軸が一致するように手動で突き当てて、レンズ枠１０２に対してレンズ１０１を移動させている。つまり、レンズ１０１と心出し冶具１１２との摩擦力がレンズ１０１とレンズ枠１０２との摩擦力を上回る必要があり、レンズ形状によっては心出し冶具のレンズに対する摩擦力の大きい材質が採用されることになるが、この場合、心出し冶具を用いてレンズに対して強い力で押す必要があり、レンズの表面に傷や汚れが付くおそれがあった。
【０００４】
また、レンズとレンズ枠との間にはＵＶ硬化接着剤を予め塗布しておき、レンズ枠に対するレンズの偏心を調整した後に、ＵＶ光を前記接着剤に照射してレンズとレンズ枠とを仮固定するが、一般的にはＵＶ光の照射位置に対してレンズを回転させながら硬化させるため、レンズの周方向の位置によって硬化に時間差が生じることになる。そのため、ＵＶ硬化接着剤として硬化に伴って収縮する材質のものを採用する場合には、先行して硬化する位置でレンズ枠に対してレンズが引き寄せられることから、心出し後の硬化時において心ずれが生じるといった問題があり、その点で改良の余地があった。
【０００５】
本発明は、上述する問題点に鑑みてなされたもので、レンズに傷や汚れをつけることなく心出しが行え、しかもレンズ枠に対するレンズの固定精度を高めることができるレンズ心出し装置を提供することを目的とする。
【課題を解決するための手段】
【０００６】
上記目的を達成するため、本発明に係るレンズ心出し装置では、レンズ枠の中心軸に対してレンズの光軸を一致させて、レンズとレンズ枠とを伸縮性を有するＵＶ硬化接着剤によって固定させるためのレンズの心出し装置であって、レンズを組み込んだレンズ枠を、その中心軸周りに回転させるための回転機構と、レンズ枠の中心軸とレンズの光軸との偏心量を測定する偏心測定機と、レンズとレンズ枠との間に位置するＵＶ硬化接着剤の一部分に向けてＵＶ光を照射するＵＶ照射部と、偏心測定機で測定した偏心データに基づいて、ＵＶ硬化接着剤におけるＵＶ光の照射位置と、その位置における照射時間及び照射強度とを制御する制御部とを備え、ＵＶ照射部によってＵＶ硬化接着剤の一部にＵＶ光を照射し、そのＵＶ硬化接着剤の硬化による伸縮作用によりレンズを任意の方向に移動させるように構成されていることを特徴としている。
【０００７】
本発明では、レンズの心出しを行う際に、レンズ枠に対するレンズの偏心量を偏心測定機で測定した偏心データに基づいて、レンズとレンズ枠との間に位置するＵＶ硬化接着剤に対するＵＶ光の照射位置や、ＵＶ照射部から照射されるＵＶ光の照射時間、照射強度を制御部により制御し、ＵＶ硬化接着剤の一部分にＵＶ光を照射して、その硬化によるＵＶ硬化接着剤の伸縮作用を利用することにより、レンズのレンズ枠に対する偏心量が最小となるように移動させることができる。つまり、偏心データに基づいてレンズを任意の方向に移動させる動作を繰り返すことで、レンズの心出しを行うことができる。しかも、そのレンズの心出し作業とともにＵＶ硬化接着剤が硬化することになるので、レンズの心出しが完了した時点では、レンズ枠に対して確実に固定されることなり、心出し後にＵＶ硬化接着剤の硬化に伴って心出ししたレンズがずれるといった不具合がなくなる利点がある。
【０００８】
また、本発明に係るレンズ心出し装置では、レンズ枠の外形位置を測定する振れ測定器が設けられ、振れ測定器で測定したレンズ枠の振れデータに基づいて、偏心測定機によって測定した偏心データを補正する構成であることが好ましい。
本発明では、振れ測定機でレンズ枠自体の外形位置を測定し、この測定によって得られた振れデータに基づいて、偏心測定機によって測定したレンズの光軸とレンズ枠の中心軸との偏心量（偏心データ）を補正することができ、これによりレンズ枠の加工精度やレンズ枠の装置に対する固定精度のばらつきによる影響を低減し、より精度の高い偏心データを用いてレンズの心出しを行うことができる。
【０００９】
また、本発明に係るレンズ心出し装置では、ＵＶ照射部は、レンズの周方向に一定の間隔をもった３点のそれぞれに対応する３箇所に設けられていてもよい。
本発明では、レンズの偏心量に応じて３箇所のＵＶ照射部のうち適宜なＵＶ照射部を使用することで、レンズをあらゆる方向に向けて自在に移動させることが可能となる。そのため、ＵＶ硬化接着剤へのＵＶ光の照射位置をＵＶ照射部に合わせるようにレンズ枠を回転させる動作を省略することが可能となり、しかも、レンズに全周にわたってＵＶ光を照射する場合にも、１つのＵＶ照射部の場合に比べて、レンズの回転量を１／３に低減することができることから、動作時間の短縮が図れ、制御も簡単になるといった利点がある。
【発明の効果】
【００１０】
本発明のレンズ心出し装置によれば、レンズ形状に制限されることなく、レンズとレンズ枠とを固定するＵＶ硬化接着剤の硬化時の伸縮作用を利用してレンズ枠に対してレンズを移動させることが可能であることから、レンズ枠に対するレンズの偏心量に応じてレンズを任意の方向に移動させることで、レンズの光軸を補正しつつ、同時にレンズとレンズ枠とを固定することができる。そのため、レンズ枠に対するレンズの心出しと固定とがほぼ同時に行われるため、心出し後におけるＵＶ硬化接着剤の硬化に伴うレンズのずれがなくなり、レンズ枠に対するレンズの固定精度を高めることができ、品質の向上を図ることができる。また、レンズ枠に対してレンズを移動させる際において、従来のように冶具を用いてレンズに対して強い力で押す必要がなくなり、レンズの表面に傷や汚れが付くことを防止することができる。
【発明を実施するための最良の形態】
【００１１】
以下、本発明の第１の実施の形態によるレンズ心出し装置について、図１乃至図４に基づいて説明する。
図１は本発明の第１の実施の形態によるレンズ心出し装置の概略構成を示す斜視図、図２はレンズ枠に対するレンズの保持状態を説明するための図、図３はレンズ枠に組み込まれたレンズの平面図であって、レンズの光軸とレンズ枠の中心軸とが一致した状態の図、図４（ａ）〜（ｃ）はレンズの心出し動作を示す図である。
【００１２】
図１に示すように、本第１の実施の形態によるレンズ心出し装置１は、レンズ枠３の中心軸Ｃ０に対してレンズ２の光軸Ｃ１を一致させるようにして調整して固定するためのものである。
ここで、図２、図３に示すように、レンズ２は、レンズ枠３に対してレンズ２の全周がＵＶ硬化接着剤（以下、単に「接着剤４」という）を介して保持され、その接着剤４に対してＵＶ光が照射されることによって固着されている。なお、図２に示す二点鎖線のレンズ２は、レンズ枠３に対して光軸Ｃ１がずれた状態を示している。そして、本実施の形態で採用する接着剤４は、ＵＶ光の照射によって収縮することで硬化する性質のものである。
【００１３】
図１に示すように、具体的にレンズ心出し装置１は、基台１１と、基台１１上に設けられた回転ステージ１２（回転機構）と、この回転ステージ１２上に設けられるとともにステージ面１３ａにレンズ枠３を支持するためのＸＹステージ１３と、ＸＹステージ１３上に設けられていてレンズ枠３を所定位置に着脱可能に保持する固定冶具１４と、レンズ枠３に組み込まれたレンズ２の上方に設けられ、レンズ枠３の中心軸Ｃ０とレンズ２の光軸Ｃ１との偏心量を測定するための偏心測定機１５と、レンズ２の上面２ａを押さえるレンズ押付け部１６と、レンズ２とレンズ枠３との間に位置する接着剤４の一部分に向けてＵＶ光を照射するＵＶ照射装置１７と、偏心測定機１５で測定した偏心データに基づいて、接着剤４における照射位置とその位置における照射時間及び照射強度とを制御する制御部１８とを備えて概略構成されている。そして、レンズ心出し装置１は、ＵＶ照射装置１７によって接着剤４の一部にＵＶ光を照射し、その接着剤４の収縮作用によりレンズ２を任意の方向に移動させるように構成されている。
【００１４】
回転ステージ１２は、レンズ枠３及びそのレンズ枠３に組み込まれたレンズ２をＸＹステージ１３を介して鉛直方向に平行な軸線を中心にして回転させるものである。
回転ステージ１２上に設けられているＸＹステージ１３は、ステージ面１３ａを鉛直方向に対して直交する方向を含む平面内の二方向（Ｘ方向、及びＹ方向）に移動させる機能を有している。
固定冶具１４は、ＸＹステージ１３に設けられており、レンズ枠３をチャック機構によって挟持することで固定可能となっている。
【００１５】
偏心測定機１５は、上述したようにレンズ枠３の中心軸Ｃ０とレンズ２の光軸Ｃ１との偏心量を測定するものであり、基台１１に対して略鉛直方向に立設された支持部材１９の上端において、レンズ２に対して偏心測定が可能な位置に固定されている。そして、偏心測定機１５は制御部１８に接続されており、測定した偏心量（測定データ）を制御部１８に送る構成となっている。
レンズ押付け部１６は、支持部材１９に沿って上下方向に摺動可能な駆動部１６１と、この駆動部１６１よりレンズ２の略中心の上方に向けて張出した張出部１６２と、張出部１６２の先端に設けられた当接部１６３とから構成されている。つまり、当接部１６３は、レンズ２の略頂部に位置し、レンズ２に対して近接離反するように移動可能となっている。
【００１６】
ＵＶ照射装置１７は、装置本体１７１から延びるＵＶ照射部１７２が基台１１に固定された照射支持部１７３に支持され、ＵＶ照射部１７２の先端１７ａがＸＹステージ１３上に固定されたレンズ枠３とレンズ２との間の接着位置（接着剤４）に向けてＵＶ光が照射するように配置されている（図２及び図３参照）。
制御部１８は、偏心測定機１５で測定した偏心データを取り込み、そのデータに基づいて、接着剤４における照射位置と、その位置における照射時間及び照射強度とを制御し、ＵＶ照射装置１７、回転ステージ１２、レンズ押付け部１６、及びＸＹステージ１３のそれぞれの動作を制御するものである。制御部１８による具体的な制御方法については、後述するので、ここでは詳しい説明は省略する。
【００１７】
次に、このように構成されるレンズ心出し装置１の作用と、レンズ枠３に対するレンズ２の心出し、固定動作の一例について、図面に基づいて詳細に説明する。
図１に示すように、レンズ２の心出しを行う際には、先ずレンズ２をレンズ枠３に挿入した状態で、固定冶具１４によってレンズ枠３の固定を行う。その際、接着剤４がレンズ２とレンズ枠３との間に塗布された状態となっている（図２及び図３参照）。また、固定冶具１４によってレンズ枠３を固定する際には、回転ステージ１２の回転軸（図示省略）とレンズ枠３の中心軸Ｃ０（図２参照）とが一致するようにＸＹステージ１３により位置調整をしておく。
【００１８】
次に、レンズ押付け部１６の駆動部１６１を支持部材１９に沿って下降させることで、当接部１６３をレンズ２の上面２ａに対して押し付け、レンズ２がレンズ枠３から浮かずに接する状態とする。その後、レンズ押付け部１６を上昇させて、当接部１６３をレンズ２から離し、回転ステージ１２を駆動してレンズ２が組み込まれたレンズ枠３を回転させ、偏心測定器１５によりレンズ枠３の中心軸Ｃ０に対するレンズ２の光軸Ｃ１の偏心量の測定を行い、この偏心データを制御部１８に送る。
【００１９】
次いで、制御部１８において、偏心データに基づいて、レンズ２とレンズ枠３との間に位置する接着剤４に対するＵＶ光の照射位置、照射時間及び照射強度が設定され、回転ステージ１２とＵＶ照射装置１７とが制御される。
【００２０】
ここで、ＵＶ照射部１７２の先端１７ａからＵＶ光が照射され、レンズ２とレンズ枠３との間に塗布された接着剤４に当てられると、そのＵＶ光が当った部分で接着剤４の硬化が始まり、接着剤４の収縮作用によりレンズ２がレンズ枠３の内周面３ａ（図２、図３参照）側に引っ張られ、レンズ２の光軸Ｃ１が移動することになる。
なお、途中では、レンズ押付け部１６の当接部１６３をレンズ２の上面２ａに押し当てることで、レンズ２の浮きを防止しながら偏心量を少しずつ追い込んでいくようにしてもよい。
【００２１】
このように、図１に示すレンズ心出し装置１では、レンズ枠３に対するレンズ２の偏心量を偏心測定機１５で測定した偏心データに基づいて、レンズ２とレンズ枠３との間に位置する接着剤４に対するＵＶ光の照射位置や、ＵＶ照射部１７２（１７）から照射されるＵＶ光の照射時間、照射強度を制御部１８により制御し、接着剤４の一部分にＵＶ光を照射して、その硬化による接着剤４の収縮作用を利用し、この接着剤４へのＵＶ光の照射位置を回転ステージ１２の回転により移動することにより、積極的にレンズ２をレンズ枠３の内周面３ａ側に向けて誘導し、レンズ２のレンズ枠３に対する偏心量が最小となるように移動させる。つまり、偏心データに基づいてレンズ２を任意の方向に移動させる動作を繰り返すことで、レンズ２の心出しを行うことができる。
【００２２】
その制御の一例として、先ず、図４（ａ）に示すように、レンズ２の所定位置（これを「第１照射位置Ｐ１」という）における接着剤４に向けてＵＶ照射部１７２によりＵＶ光（第１照射強度Ｋ１、第１照射時間Ｔ１）を照射すると、その照射された部分の接着剤４が収縮して硬化が始まり、この収縮作用によってレンズ２はレンズ枠３の内周面３ａ側（図４（ａ）に示す矢印Ｅ１方向）に引き寄せられて移動する。なお、ＵＶ照射部１７２より照射されるＵＶ光の第１照射強度Ｋ１（後述する第２及び第３照射強度Ｋ２、Ｋ３も同様）と、第１照射時間Ｔ１（後述する第２及び第３照射時間Ｔ２、Ｔ３も同様）は、接着剤４の硬化状態として完全に硬化しない程度（すなわち、一度で硬化させずにレンズ２が多少動ける状態となる程度、例えば半硬化状態）である。
そして、レンズ２の光軸Ｃ１とレンズ枠３の中心軸Ｃ０とは、偏心した状態であることから、このときの偏心量が図１に示す偏心測定機１５により測定され、その測定データが制御部１８に送られる。
【００２３】
次に、上述した第１照射位置Ｐ１におけるレンズ２の移動に伴う偏心量に基づいて、制御部１８により回転ステージ１２を制御し、図１に示す回転ステージ１２を所定の回転角度（図４（ａ）では反時計回り（矢印Ｆ方向）に略１２０度）だけ回転させる。このときの位置が、図４（ｂ）に示す第２照射位置Ｐ２となる。そして、図４（ｂ）に示すように、第２照射位置Ｐ２における接着剤４に向けてＵＶ照射部１７２によりＵＶ光（第２照射強度Ｋ２、第２照射時間Ｔ２）を照射すると、その照射された部分の接着剤４が収縮して硬化が始まり、この収縮作用によってレンズ２はレンズ枠３の内周面３ａ側（図４（ｂ）に示す矢印Ｅ２方向）に引き寄せられて移動する。これに伴って、第１照射位置Ｐ１は、半硬化状態であるので、第１照射位置Ｐ１でレンズ枠３の内周面３ａに接着しつつ、第２照射位置Ｐ２側（矢印Ｅ３方向）に引き寄せられて移動することになる。
そして、この時点において、レンズ２の光軸Ｃ１とレンズ枠３の中心軸Ｃ０とは、まだ偏心した状態であることから、このときの偏心量が偏心測定機１５により測定され、その測定データが制御部１８に送られる。
【００２４】
さらに、第２照射位置Ｐ２におけるＵＶ光の照射に続いて、上述した第２照射位置Ｐ２におけるレンズ２の移動に伴う偏心量に基づいて、制御部１８により回転ステージ１２を制御し、回転ステージ１２を所定の回転角度（図４（ｂ）では反時計回り（矢印Ｆ方向）に略１２０度）だけ回転させる。このときの位置が、図４（ｃ）に示す第３照射位置Ｐ３となる。そして、図４（ｃ）に示すように、第３照射位置Ｐ３における接着剤４に向けてＵＶ照射部１７２によりＵＶ光（第３照射強度Ｋ３、第３照射時間Ｔ３）を照射すると、その照射された部分の接着剤４が収縮して硬化が始まり、この収縮作用によってレンズ２はレンズ枠３の内周面３ａ側（図４（ｃ）に示す矢印Ｅ４方向）に引き寄せられて移動することになる。これに伴って、第１照射位置Ｐ１及び第２照射位置Ｐ２は、それぞれ半硬化状態であるので第３照射位置Ｐ３側（矢印Ｅ５、Ｅ６方向）に引き寄せられて移動することになる。
【００２５】
これによりレンズ２の光軸Ｃ１とレンズ枠３の中心軸Ｃ０とがほぼ一致することにより、心出し動作が完了となる。その後、この時点では接着剤４部分のうち第１〜第３照射位置Ｐ１〜Ｐ３の３箇所で固定した位置を保持したまま、レンズ２とレンズ枠３との間に塗布した接着剤４の全周にわたって回転ステージ１２を回転させながら照射して硬化させる。
【００２６】
このように、本レンズ心出し装置１においては、レンズ２の心出し作業とともに接着剤４が硬化することになるので、レンズ２の心出しが完了した時点では、レンズ枠３に対して確実に固定されることなり、心出し後に接着剤４の硬化に伴って心出ししたレンズ２がずれるといった不具合がなくなる利点がある。
【００２７】
なお、上述したレンズ２の光軸Ｃ１とレンズ枠３の中心軸Ｃ０とがほぼ一致する条件とは、偏心量が予め設定した所定の偏心範囲内となる場合とされる。
また、上述した図４（ａ）〜（ｃ）までの３箇所の照射位置Ｐ１、Ｐ２、Ｐ３における心出し後においても、設定した偏心範囲内から外れている場合には、その範囲内に納まるまで上述したように適宜な照射位置が設定され、適宜な照射強度と照射時間でＵＶ光の照射が繰り返される。
【００２８】
上述のように本第１の実施の形態によるレンズ心出し装置では、レンズ形状に制限されることなく、レンズ２とレンズ枠３とを固定する接着剤４の硬化時の収縮作用を利用してレンズ枠３に対してレンズ２を移動させることが可能であることから、レンズ枠３に対するレンズ２の偏心量に応じてレンズ２を任意の方向に移動させることで、レンズ２の光軸Ｃ１の位置を補正しつつ、同時にレンズ２とレンズ枠３とを固定することができる。そのため、レンズ枠３に対するレンズ２の心出しと固定とがほぼ同時に行われるため、心出し後における接着剤４の硬化（本格硬化）に伴うレンズ２のずれがなくなり、レンズ枠３に対するレンズ２の固定精度を高めることができ、品質の向上を図ることができる。
また、レンズ枠３に対してレンズ２を移動させる際において、従来のように冶具を用いてレンズ２に対して強い力で押す必要がなくなり、レンズ２の表面に傷や汚れが付くことを防止することができる。
【００２９】
次に、他の実施の形態について、添付図面に基づいて説明するが、上述の第１の実施の形態と同一又は同様な部材、部分には同一の符号を用いて説明を省略し、第１の実施の形態と異なる構成について説明する。
図５は本発明の第２の実施の形態によるレンズ心出し装置の概略構成を示す図である。
図５に示すように、第２の実施の形態によるレンズ心出し装置５は、第１の実施の形態のレンズ心出し装置１（図１参照）の構成に加えて、レンズ枠３の外形位置を測定する振れ測定機２０を設けた構成となっている。
【００３０】
本レンズ心出し装置５では、レンズ枠３が固定冶具１４に固定される際に、予めＸＹステージ１３の位置調整により回転ステージ１２の中心軸とレンズ枠３の中心軸Ｃ０とを一致させる際に、レンズ枠３の製造誤差などによる外振れ（外形位置）を振れ測定機２０で測定し、この測定によって得られたレンズ枠３の振れデータを制御部１８に取り込んでおく。そして、制御部１８において、振れデータに基づいて、偏心測定機１５によって測定したレンズ２の光軸Ｃ１とレンズ枠３の中心軸Ｃ０との偏心量（偏心データ）を補正することができる。これにより、レンズ枠３の加工精度やレンズ枠３の装置に対する固定精度のばらつきによる影響を低減し、より精度の高い偏心データを用いてレンズ２の心出しを行うことができる。
【００３１】
次に、図６は本発明の第３の実施の形態によるレンズ心出し装置のＵＶ照射装置の一部を示す図であって、図３に対応する図である。
図６に示すように、第３の実施の形態では、ＵＶ照射部１７２、すなわちＵＶ照射装置１７を、レンズ２の周方向に一定の間隔をもった３点Ｐ１、Ｐ２、Ｐ３のそれぞれに対応する３箇所に設けたものである。
本第３の実施の形態では、レンズ２の偏心量に応じて３箇所のＵＶ照射部１７２Ａ、１７２Ｂ、１７２Ｃうち適宜なＵＶ照射部を使用することで、レンズ２をレンズ枠３内のあらゆる方向に向けて自在に移動させることが可能となる。そのため、レンズ２の周囲の接着剤４へ照射位置をＵＶ照射部１７２に合わせるように回転ステージ１２を介してレンズ枠３を回転させる動作を省略することが可能となり、しかも、レンズを全周にわたってＵＶ光を照射する場合にも、１つのＵＶ照射部の場合に比べて、レンズ２の回転量を１／３に低減することができることから、動作時間の短縮が図れ、制御も簡単になるといった利点がある。
【００３２】
以上、本発明によるレンズ心出し装置の第１乃至第３の実施の形態について説明したが、本発明は上記の実施の形態に限定されるものではなく、その趣旨を逸脱しない範囲で適宜変更可能である。
例えば、本第１及び第２の実施の形態では１台のＵＶ照射装置１７を使用し、第３の実施の形態では３箇所のＵＶ照射部１７２Ａ、１７２Ｂ、１７２Ｃを使用しているが、ＵＶ照射装置１７の台数はとくに制限されることはない。
【００３３】
また、本第１乃至第３の実施の形態では硬化時に収縮作用を有するＵＶ硬化接着剤を使用しているが、このような硬化作用であることに限定されることはなく、伸張作用を有するＵＶ硬化接着剤を作用することも可能である。例えば、レンズ２のある位置（第１位置）をレンズ枠３の内周面３ａ側に向けて移動させる場合には、その位置に対して光軸を挟んで反対側の位置を照射位置（第２位置）とし、その照射位置（第２位置）にＵＶ光を照射して接着剤の硬化による伸張作用により、第１位置を任意の方向に移動させることができる。
【図面の簡単な説明】
【００３４】
【図１】本発明の第１の実施の形態によるレンズ心出し装置の概略構成を示す斜視図である。
【図２】レンズ枠に対するレンズの保持状態を説明するための図である。
【図３】レンズ枠に組み込まれたレンズの平面図であって、レンズの光軸とレンズ枠の中心軸とが一致した状態の図である。
【図４】（ａ）〜（ｃ）はレンズの心出し動作を示す図である。
【図５】本発明の第２の実施の形態によるレンズ心出し装置の概略構成を示す図である。
【図６】本発明の第３の実施の形態によるレンズ心出し装置のＵＶ照射装置の一部を示す図であって、図３に対応する図である。
【図７】従来のレンズの芯出し装置の概略構成を示す図である。
【符号の説明】
【００３５】
１、５  レンズ心出し装置
２  レンズ
３  レンズ枠
４  ＵＶ接着剤
１１  基台
１２  回転ステージ（回転機構）
１３  ＸＹステージ
１４  固定冶具
１５  偏心測定機
１６  レンズ押付け部
１７  ＵＶ照射装置
１７２、１７２Ａ、１７２Ｂ、１７２Ｃ  ＵＶ照射部
１８  制御部
２０  振れ測定機
Ｃ０  レンズ枠の中心軸
Ｃ１  レンズの光軸
Ｐ１〜Ｐ３  第１〜第３照射位置
Ｋ１〜Ｋ３  第１〜第３照射強度
Ｔ１〜Ｔ３  第１〜第３照射時間
【図１】
2010145807.tif 000003
【図２】
2010145807.tif 000004
【図３】
2010145807.tif 000005
【図４】
2010145807.tif 000006
【図５】
2010145807.tif 000007
【図６】
2010145807.tif 000008
【図７】
2010145807.tif 000009